(57)【特許請求の範囲】
【請求項１】
宅内ＤＳＵに接続された宅内端末とＩＳＤＮ交換機との通信を解放して緊急端末との通信を確立する強制回線接続装置であって、
前記ＩＳＤＮ交換機と前記宅内ＤＳＵとの間に接続された回線接続手段を有し、  前記回線接続手段は、
前記宅内端末と前記ＩＳＤＮ交換機との間の通信におけるＴＥＩ値を記憶する手段と、
前記ＴＥＩ値を用いて前記ＩＳＤＮ交換機に対してＳＡＢＭＥ信号及びＲＥＳＴＡＲＴ信号を送信する手段と、
を有することを特徴とする強制回線接続装置。
【請求項２】
請求項１記載の装置において、
前記記憶する手段は、前記ＴＥＩ値とともに前記ＴＥＩ値で使用しているＢチャネルの呼番号あるいはチャネル識別子を記憶し、
前記送信する手段は、前記ＴＥＩ値及び前記呼番号あるいはチャネル識別子を用いて前記ＲＥＳＴＡＲＴ信号を送信することを特徴とする強制回線接続装置。
【請求項３】
請求項１、２のいずれかに記載の装置において、
前記回線接続手段は、さらに、
前記宅内端末と前記ＩＳＤＮ交換機との間の接続を物理的に遮断するリレー手段と、
を有することを特徴とする強制回線接続装置。
【請求項４】
請求項１、２のいずれかに記載の装置において、
前記回線接続手段は、さらに、
前記宅内端末と前記ＩＳＤＮ交換機との間で送受されるＳＡＰＩ＝０のフレーム信号を遮断する手段と、
を有することを特徴とする強制回線接続装置。
【請求項５】
請求項１、２のいずれかに記載の装置において、
前記回線接続手段は、さらに、
前記宅内端末と前記ＩＳＤＮ交換機との間の接続を物理的に遮断するリレー手段と、
前記宅内端末と前記ＩＳＤＮ交換機との間で送受されるＳＡＰＩ＝０のフレーム信号を遮断する手段と、
前記リレー手段あるいは前記遮断する手段のいずれかを択一的に動作させる手段と、
を有することを特徴とする強制回線接続装置。
【請求項６】
請求項２記載の装置において、
前記回線接続手段は、さらに、
２つのＢチャネルのいずれを解放するかを設定する手段と、
を有し、前記送信する手段は、前記設定する手段での設定に応じた前記呼番号あるいはチャネル番号を用いることを特徴とする強制回線接続装置。
【発明の詳細な説明】
【０００１】
【発明の属する技術分野】
本発明は強制回線接続装置、特にＩＳＤＮ回線の加入者回線の全Ｂチャネルが使用中の場合にも警備端末等の緊急端末との接続を強制的に確立する装置に関する。
【０００２】
【従来の技術】
従来より、火災等の緊急事態や侵入者等の異常事態の発生を検知し、ＩＳＤＮ回線を介して監視センタに緊急事態あるいは異常事態（以下、まとめて緊急事態と称する）を通報する警備装置が実用化されている。このような警備装置は、緊急事態を検知すると、監視センタに対して呼設定メッセージを自動的に送信し、監視センタとの接続を確立した後に監視センタに対して検知した緊急事態の情報を送信する。
【０００３】
しかし、警備装置が緊急事態を検知した際に、ＩＳＤＮ回線の加入者回線が既に使用中であると監視センタに対して呼設定メッセージを送信して監視センタとの間で通信を確立することができず、仮に回線に空きが生じるまで待機しなければならないとすると、緊急事態に迅速に対応することができない問題が生じる。なお、ＩＳＤＮの基本インターフェースは、通信情報を伝送するＢチャネルが２チャネル含まれているため、１つの加入者回線で２個の端末を同時に使用することが可能となっている。従って、Ｂチャネルが２つとも同時に使用中である場合は一般的には少ないと考えられるが、電話やファクシミリ、パーソナルコンピュータ等ＩＳＤＮ回線に接続される端末も多くなってきているので、加入者回線の全Ｂチャネルが同時に使用中となる可能性は存在する。
【０００４】
図３には、ＩＳＤＮ回線の加入者回線において２つのＢチャネルの全てが使用中である場合に警備端末が緊急事態を検知した場合に監視センタとの間で通信を確立するための１つの方法が示されている。
【０００５】
図において、監視センタ１０はＩＳＤＮ交換機１２を介してユーザ宅内に設置されるＤＳＵ１４に接続される。ＤＳＵ１４から回線切断装置１６内のリレー１６ａを介して延在する宅内バスには、警備端末や電話、ファクシミリが接続される。そして、２つのＢチャネル（Ｂ１とＢ２）を用いて電話とファクシミリが回線を使用中に警備端末が緊急事態を検知した場合には、回線切断装置１６は警備端末からの緊急信号をトリガとしてリレー１６ａを動作させ、宅内バスのＳ／Ｔ点を強制的に切断する（レイヤ１レベルの切断）。その後、警備端末から再び発呼を行って監視センタとの通信を確立する。
【０００６】
【発明が解決しようとする課題】
しかしながら、上記従来技術では、全ての回線を強制的に切断しているので使用中の全ての端末が使用不可となってしまう問題があり、さらには切断後警備端末が１つのＢチャネルを用いて監視センタと通信を行っている間は他のＢチャネル及びＤチャネルが使用できず、ＩＳＤＮ回線の使用効率が低下する問題も生じる。
【０００７】
そこで、このような問題点に鑑み、本願出願人は、先に特願平１０−３１１１７９号にて以下のような強制回線接続装置を提案した。すなわち、ＩＳＤＮ交換機と宅内ＤＳＵとの間に強制回線接続装置を設け、宅内端末と交換機との間で送受しているＲＲ監視フレームを途中で遮断していずれかのＢチャネルをレイヤ２レベルで論理解放する。また、情報転送フレームに切断（ＤＩＳＣ）メッセージ（レイヤ３レベル）をのせて宅内端末とＩＳＤＮ交換機間の通信を解放する。これにより、物理的に切断する場合のように他の端末に影響を与えることを防止することができる。
【０００８】
但し、例えばレイヤ２レベルでＲＲを遮断することで論理的に解放する場合、ＩＳＤＮ交換機側ではレイヤ２でのリンク再確立等の手続きを自動的にとり、再確立できないままに所定の時間が経過して（タイムオーバ）始めて解放されるため、緊急端末との通信が可能となるまでに一定の時間（１２０ｓｅｃ程度）を必要とし、迅速に緊急端末と監視センタとの通信を確立するという観点からは必ずしも十分といえない問題があった。
【０００９】
また、レイヤ３レベルで終端し、強制回線接続装置がＩＳＤＮ回線や宅内端末になりすまして切断処理を行う場合にも、宅内端末の通信手順（ステータス）を全て監視、処理する必要があり、システム構成の簡易化の観点からは十分でない問題があった。これは、宅内端末の各通信呼毎の発信時や切断時などの通信手順を全て管理し、切断時においてはその通信呼のＴＥＩ値やチャネル番号、シーケンス番号等を設定した切断（ＤＩＳＣ）メッセージなどをＩＳＤＮ交換機や宅内端末に対して送信する処理が必要となるからである。
【００１０】
本発明は、上記従来技術の有する課題に鑑みなされたものであり、その目的は、ＩＳＤＮ回線の加入者回線全てのＢチャネルが使用中に緊急端末で緊急事態を検知した場合に、簡易な構成で通信中の呼を解放させ、かつ迅速に緊急端末と監視センタとの通信を確立することができる強制回線接続装置を提供することにある。
【００１１】
【課題を解決するための手段】
上記目的を達成するために、本発明は、宅内ＤＳＵに接続された宅内端末とＩＳＤＮ交換機との通信を解放して緊急端末との通信を確立する強制回線接続装置であって、前記ＩＳＤＮ交換機と前記宅内ＤＳＵとの間に接続された回線接続手段を有し、前記回線接続手段は、前記宅内端末と前記ＩＳＤＮ交換機との間の通信におけるＴＥＩ値を記憶する手段と、前記ＴＥＩ値を用いて前記ＩＳＤＮ交換機に対してＳＡＢＭＥ信号及びＲＥＳＴＡＲＴ信号を送信する手段とを有することを特徴とする。通信中のＴＥＩ値を用いることで、回線接続手段はあたかも通信中の宅内端末であるかのごとく振る舞うことが可能となり、宅内端末からのデータであるかのごとくＳＡＢＭＥ信号及びＲＥＳＴＡＲＴ信号をＩＳＤＮ交換機に送信する。これにより迅速に通信中のチャネルを解放することができる。なお、
ＳＡＢＭＥ信号によりデータリンクレイヤエンティティは送信状態変数Ｖ（Ｓ）、確認状態変数Ｖ（Ａ）、受信状態変数Ｖ（Ｒ）を０に設定するため、続けて送信されるＲＥＳＴＡＲＴ信号におけるシーケンス番号がいかなる場合でも初期値で設定することが可能となる。ＲＥＳＴＡＲＴ信号を受信したＩＳＤＮ交換機は、当該チャネルを直ちに解放するので、タイムオーバによる解放のように一定時間を要することもない。
【００１２】
ここで、前記記憶する手段は、前記ＴＥＩ値とともに前記ＴＥＩ値で使用しているＢチャネルの呼番号あるいはチャネル識別子を記憶し、前記送信する手段は、前記ＴＥＩ値及び前記呼番号あるいはチャネル識別子を用いて前記ＲＥＳＴＡＲＴ信号を送信することが好適である。これにより、呼番号あるいはチャネル識別子で指定される特定の端末との通信のみを解放することが可能となり、他の端末に影響を与えることなくチャネルを解放して緊急端末との通信を確立することができる。
【００１３】
前記回線接続手段は、前記宅内端末と前記ＩＳＤＮ交換機との間の接続を物理的に遮断するリレー手段を有することもできる。これにより、宅内端末との通信を切断することができる。なお、リレー手段により切断し、ＳＡＢＭＥ及びＲＥＳＴＡＲＴ信号によりチャネルを解放して緊急端末との通信を確立した後は、リレー手段を動作させて宅内端末とＩＳＤＮ交換機との物理的な接続を確保することが望ましい。宅内端末との再接続を可能とするためである。
【００１４】
また、前記回線接続手段は、リレー手段に代え、前記宅内端末と前記ＩＳＤＮ交換機との間で送受されるＳＡＰＩ＝０のフレーム信号を遮断する手段を有することが好適である。リレー手段によれば物理的に切断されるため、前記宅内端末からの全てのフレーム信号を遮断してしまうことになり、前記宅内端末の通信は救済することはできない。しかし、物理的な接続は維持しつつ、全てのＳＡＰＩ＝０のフレーム信号のみを論理的に遮断し、遮断したフレーム信号のＴＥＩ値を含むＳＡＢＭＥ信号及びＲＥＳＴＡＲＴ信号を送信することにより、Ｄチャネル通信を維持したままで全Ｂチャネル通信を解放することが可能となる。また、物理的な接続は維持しつつ、特定の呼番号情報を含むＳＡＰＩ＝０のフレーム信号のみを論理的に遮断し、該フレーム信号で使用しているＴＥＩ値やチャネル識別子を含むＳＡＢＭＥ信号及びＲＥＳＴＡＲＴ信号を送信することにより、Ｄチャネル通信及び他Ｂチャネル通信を維持したままで特定の１Ｂチャネルのみの解放も可能となる。
【００１５】
また、前記回線接続手段は、前記宅内端末と前記ＩＳＤＮ交換機との間の接続を物理的に遮断するリレー手段と、前記宅内端末と前記ＩＳＤＮ交換機との間で送受されるＳＡＰＩ＝０のフレーム信号を遮断する手段と、前記リレー手段あるいは前記遮断する手段のいずれかを択一的に動作させる手段とを有することが好適である。これにより、物理的な解放と論理的な解放のいずれかを適宜選択することが可能となり、例えばある特定のチャネルのみを解放した場合にはリレー手段を用いず解放するなどの選択枝が広がり、ユーザの使い勝手が向上する。２つのチャネルのいずれかを解放する場合、解放チャネルを設定する手段での設定に応じた前記呼番号あるいはチャネル番号を用いてＲＥＳＴＡＲＴ信号を送信すればよい。
【００１６】
【発明の実施の形態】
以下、図面に基づき本発明の実施形態について説明する。
【００１７】
図１には、本実施形態におけるシステム構成図が示されている。監視センタ１０はＩＳＤＮ交換機１２を介して強制回線接続装置１８に接続されている。強制回線接続装置１８は、ＩＳＤＮ交換機１２と宅内ＤＳＵ１４との間、すなわちＵ点に接続されており、この強制回線接続装置１８に緊急端末２０が接続されている。宅内ＤＳＵ１４には、宅内端末１５が接続されている。宅内端末は複数とすることができる。
【００１８】
強制回線接続装置１８は、第１の通信インタフェース（Ｉ／Ｆ）１８ａ、第２の通信インタフェース（Ｉ／Ｆ）１８ｂ、受信制御部１８ｃ、送信制御部１８ｄ主制御部１８ｅ、及び端末インタフェース１８ｆを含んで構成されている。
【００１９】
第１の通信インタフェース１８ａは、ＩＳＤＮ交換機１２への加入者線路を終端するもので、ＩＳＤＮ交換機１２からの下り方向（ＩＳＤＮ交換機→宅内端末）受信時には２線ピンポン伝送方式から４線送受信独立伝送方式に変換して受信制御部１８ｃに受信データを供給する。また、送信制御部１８ｄからの上り方向（宅内端末→ＩＳＤＮ交換機）受信時には４線送受信独立伝送方式から２線ピンポン伝送方式に変換して伝送する。
【００２０】
第２の通信インタフェース１８ｂは、宅内ＤＳＵ１４からの上り方向受信時は２線ピンポン伝送方式から４線送受信独立伝送方式に変換して送信制御部１８ｄに供給する。また、受信制御部１８ｃからの下り方向受信時には、４線送受信独立伝送方式から２線ピンポン伝送方式に変換する。従って、宅内ＤＳＵ１４から見れば、あたかも強制回線接続装置１８は存在せず、通常のＵ点に接続されたようになる。また、第２の通信インタフェース１８ｂには、宅内端末との接続を物理的に遮断するためのリレーが設けられている。
【００２１】
受信制御部１８ｃは、第１の通信インタフェース１８ａからの信号受信時にレイヤ１レベルのデータフレームからＤチャネルを抽出し、レイヤ２レベルのフレームに変換する。レイヤ２レベルのフレームは、一般にフラグシーケンス、アドレスフィールド、制御フィールド、情報フィールド、フレームチェックシーケンスから構成され、アドレスフィールドには、レイヤ２レベルが提供するサービスに受け口を示すＳＡＰＩ（サービスアクセスポイント識別子）及び各端末を識別するＴＥＩ（端末終端点識別子）が含まれる。また、フレームには、情報転送用フレームや監視フレーム、非番号制フレームなどの種類があり、情報転送フレームはレイヤ３の情報を転送するために用いられ、監視フレームはフレーム毎の受信可能や確認応答などに用いられ、非番号制フレームは端末とＩＳＤＮ交換機との間を特定の動作モードにする場合に用いられる。ＳＡＢＭＥ（拡張非同期平衡モード設定）はこの非番号制フレームのコマンドの一つであり、これにより端末とＩＳＤＮ交換機１２との間をマルチフレーム確認型動作モードに設定することができる。
【００２２】
送信制御部１８ｄは、主制御部１８ｅから送信されたデータをレイヤ２レベルのフレームに変換し、さらにレイヤ１レベルのフレームに変換して上り方向（第１の通信インタフェース１８ａ）へ供給する。本実施形態では、主制御部１８ｅから供給されたＴＥＩ値を含んだＳＡＢＭＥ信号を第１の通信インタフェース１８ａに供給するとともに、初期設定を要求するＲＥＳＴＡＲＴ（リスタート）信号を供給する。
【００２３】
主制御部１８ｅは、受信制御部１８ｃで受信した下り方向のデータに含まれるＴＥＩ値あるいは送信制御部１８ｄで受信した上り方向のデータに含まれるＴＥＩ値を抽出して内部メモリに記憶し管理する。具体的には、発信時はＣＡＬＬ  ＰＲＯＣ（下り信号）、ＣＯＮＮ（下り信号）信号からＴＥＩ値を抽出して記憶し、終話時においてＤＩＳＣ（上り／下り）、ＲＥＬ（上り／下り）、ＲＥＬＣＯＭＰ（上り／下り）からＴＥＩ値を抽出してメモリから消去する。着信時はＣＡＬＬ  ＰＲＯＣ（上り信号）、ＡＬＥＲＴ（上り信号）、ＣＯＮＮ（上り信号）、ＣＯＮＮＡＣＫ（下り信号）信号からＴＥＩ値を抽出してメモリに記憶し、終話時においてＤＩＳＣ、ＲＥＬ、ＲＥＬＣＯＭＰからＴＥＩ値を抽出しメモリから消去する。主制御部１８ｅは、ＴＥＩ値の他に、データに含まれる呼番号やチャネル識別子をさらにメモリに記憶して管理することもできる。主制御部１８ｅは、端末インタフェース１８ｆを介して緊急端末２０から緊急信号を受信した場合に、送信制御部１８ｄから呼設定を行うとともに、全てのＢチャネルが通信中で通信を確立できないときに、後述する処理を行ってメモリに記憶されたＴＥＩ値を用いてＳＡＢＭＥ信号及びＲＥＳＴＡＲＴ信号を送信制御部１８ｄに供給する。ＳＡＢＭＥ信号及びＲＥＳＴＡＲＴ信号は第１のインタフェース１８ａを介してＩＳＤＮ交換機１２に送信される。
【００２４】
以下、図２を用いて強制回線接続処理をより詳細に説明する。
【００２５】
緊急端末２０が緊急事態を検知すると、強制回線接続装置１８は、監視センタ１０に通報するためＩＳＤＮ交換機１２に対して呼設定を送信する。しかし、全てのＢチャネルが使用中である場合には、ＩＳＤＮ交換機１２より解放完了（理由コード＃３４（利用可能回線／チャネルなし）を受信し、監視センタ１０に対して通報することができない。
【００２６】
そこで、強制回線接続装置１８は、まず第２の通信インタフェース１８ｂに指令してリレーを動作させ、宅内端末１５とＩＳＤＮ交換機１２との間の通信を物理的に切断する。次に、メモリに記憶されているＴＥＩ値を含むＳＡＢＭＥ信号をＩＳＤＮ交換機１２に送信し、さらに続けてＲＥＳＴＡＲＴ信号をＩＳＤＮ交換機１２に送信する。ＩＳＤＮ交換機１２では、ＴＥＩ値を含むＳＡＢＭＥ信号を受信することでそのＴＥＩ値で指定される宅内端末からマルチフレーム確認型動作モードに設定すべきコマンドを受信したと解釈し、続いて受信するＲＥＳＴＡＲＴ信号により、直ちに当該宅内端末との間のＢチャネルを解放する。ＲＥＳＴＡＲＴ信号による解放であるため、タイムオーバによる解放と異なり、２〜３秒で解放されることになる。解放後、強制回線接続装置１８は再びＩＳＤＮ交換機１２に対して呼設定を送信し、ＩＳＤＮ交換機１２からの呼設定受付、呼出、応答を受信して監視センタ１０に対して緊急端末２０からの情報を送信する。監視センタ１０との通信確立後は、第２のインタフェース１８ｂのリレーを戻して物理的に再接続し、宅内端末との通信も可能な状態とする。
【００２７】
このように、通信中のＴＥＩ値を監視し、このＴＥＩ値を用いてＳＡＢＭＥ信号さらにはＲＥＳＴＡＲＴ信号を送信することで、強制回線接続装置１８はあたかもこのＴＥＩ値で指定される宅内端末であるかのごとく振る舞って（ＩＳＤＮ交換機１２から見ると、宅内端末と強制回線接続装置とを区別することができない）ＩＳＤＮ交換機１２に対してコマンドを送信するので、複雑な処理を必要とせず、簡易に（ＴＥＩ値のみを監視すればよい）かつ迅速に通信中の回線を解放して緊急端末との通信を確立することができる。
【００２８】
なお、本実施形態では、リレーを動作させて物理的に切断した後にＳＡＢＭＥ信号、ＲＥＳＴＡＲＴ信号を送信しているが、リレーによる切断と同時に、あるいはＳＡＢＭＥ信号、ＲＥＳＴＡＲＴ信号を送信した後にリレーを動作させて切断することもできる。
【００２９】
また、本実施形態では、第２の通信インタフェース１８ｂにリレーを設け、このリレーを動作させて物理的に宅内端末との接続を遮断して全てのＢチャネルを解放しているが、第２の通信インタフェース１８ｂにリレーを設けず、強制回線接続装置１８で全てのＳＡＰＩ＝０のフレーム信号のみを論理的に遮断（破棄）し、主制御部１８ｅのメモリに記憶しているＴＥＩ値を用いてＳＡＢＭＥ信号及びＲＥＳＴＡＲＴ信号を送信し、Ｄチャネル通信を維持したままで全Ｂチャネル通信を解放することもできる。また、記憶している呼番号情報と使用中のチャネル情報を関連付けるデータを参照して特定のＳＡＰＩ＝０のフレーム信号のみを論理的に遮断（破棄）し、該遮断フレーム信号で使用しているＴＥＩ値やチャネル識別子を用いてＳＡＢＭＥ信号及びＲＥＳＴＡＲＴ信号の送信により１Ｂチャネルのみの解放も可能となる。具体的には、例えば上り方向のデータについては、送信制御部１８ｄで全てのＳＡＰＩ＝０又は特定のＳＡＰＩ＝０のみのフレームを除去する。これにより、緊急端末２０との通信を確立するために必要最小限のチャネルのみを解放し、Ｄチャネル通信又は他のチャネルの切断を防止することができる。
【００３０】
また、本実施形態において、第２の通信インタフェース内のリレーを動作させて全てのチャネルを切断して緊急端末２０との通信を確立するか、あるいは上述したように必要なチャネルのみを解放するかを選択するスイッチ（ＳＷ）１８ｇを強制回線接続装置１８に設け、ユーザがこのスイッチ１８ｇを操作していずれの方法で強制的に解放、接続するかを選択できるように構成することも望ましい。
【００３１】
例えば、Ａ状態及びＢ状態のいずれかを選択できるスイッチ１８ｇを設け、ユーザがＡ状態に設定した場合には主制御部１８ｅはこの設定に基づいて第２の通信インタフェース１８ｂに指令を送ってリレーを動作させて物理的に切断してＳＡＢＭＥ信号等を送信し、ユーザがスイッチ１８ｇをＢ状態に設定した場合には主制御部１８ｅはこの設定に基づいてリレーは動作させず物理的な接続を維持し、ＳＡＰＩ＝０のフレーム信号を破棄してＳＡＢＭＥ信号等を送信する。また、リレーを動作させることなく必要なチャネルのみを解放する場合にも、Ｂ１チャネルあるいはＢ２チャネルのいずれを解放するかをスイッチ１８ｇで選択できるようにすることが望ましい。例えば、スイッチ１８ｇとしてディップスイッチを設け、ディップスイッチで指定されるチャネル番号を含むＳＡＢＭＥを送信し、指定されたチャネルのみを解放する等である。
【００３２】
以上、本発明の実施形態について説明したが、本発明は単に警備用の端末のみならず、バックアップ回線など重要なトラフィックを運搬するために優先的に回線を確保する必要のある場合に同様に適用することができる。
【００３３】
【発明の効果】
本発明によれば、ＩＳＤＮ回線の全てのチャネルが使用中であっても、緊急端末と監視センタとの通信を簡易に、かつ迅速に確立することができる。
【００３４】
また、緊急端末との通信を確立する際にも、通信中の宅内端末に与える影響を抑制することができる。
【図面の簡単な説明】
【図１】  実施形態の構成ブロック図である。
【図２】  実施形態の処理説明図である。
【図３】  従来装置の構成ブロック図である。
【符号の説明】
１０  監視センタ、１２  ＩＳＤＮ交換機、１４  宅内ＤＳＵ、１５  宅内端末、１８  強制回線接続装置。
【図１】
0004148629.tif 000002
【図２】
0004148629.tif 000003
【図３】
0004148629.tif 000004